(57)【特許請求の範囲】
【請求項１】
無線通信システムにおいて、端末が少なくとも１つのコードワードを含む下りリンク信号を受信する方法であって、
基地局から新規送信された、第１数のレイヤにより第１コードワードを受信し、第２数のレイヤにより第２コードワードを受信する段階と、
前記基地局に前記第１コードワード及び前記第２コードワードのうちの１つに対する否定応答を送信する段階と、
前記基地局から前記否定応答に対応して再送信されたコードワード及び新規送信された第３コードワードを受信する段階と、を含み、
前記第１数及び前記第２数の和は多重コードワード送信のための最小ランク値であり、
前記再送信されたコードワード及び前記新規送信された第３コードワードは前記多重コードワード送信のための最小ランク値より小さい特定数のレイヤにより受信され、
前記再送信されたコードワードが受信されるレイヤの数は新規送信時と同一であることを特徴とする、下りリンク信号受信方法。
【請求項２】
前記多重コードワード送信のための最小ランク値は５であり、
前記特定数は４であることを特徴とする、請求項１に記載の下りリンク信号受信方法。
【請求項３】
さらに前記特定数に対応するランク情報を前記基地局にフィードバックする段階を含むことを特徴とする、請求項１に記載の下りリンク信号受信方法。
【請求項４】
前記特定数に対応するランク情報は、
単一コードワード送信を仮定したチャネル状態情報及び多重コードワード送信を仮定したチャネル状態情報を含むことを特徴とする、請求項３に記載の下りリンク信号受信方法。
【請求項５】
無線通信システムにおいて、少なくとも１つのコードワードを含む下りリンク信号を受信する端末であって、
無線通信モジュールと、
前記無線通信モジュールに連結され、基地局から新規送信された、第１コードワードを第１数のレイヤにより受信し、第２コードワードを第２数のレイヤにより受信し、前記基地局に前記第１コードワード及び前記第２コードワードのうちの１つに対する否定応答を送信し、前記基地局から前記否定応答に対応して再送信されたコードワード及び新規送信された第３コードワードを受信するプロセッサと、を含み、
前記第１数及び前記第２数の和は多重コードワード送信のための最小ランク値であり、
前記再送信されたコードワード及び前記新規送信された第３コードワードは前記多重コードワード送信のための最小ランク値より小さい特定数のレイヤにより受信され、
前記再送信されたコードワードが受信されるレイヤの数は新規送信時と同一であることを特徴とする、端末。
【請求項６】
前記多重コードワード送信のための最小ランク値は５であり、
前記特定数は４であることを特徴とする、請求項５に記載の端末。
【請求項７】
前記プロセッサは、
前記特定数に対応するランク情報を前記基地局にフィードバックすることを特徴とする、請求項５に記載の端末。
【請求項８】
前記特定数に対応するランク情報は、
単一コードワード送信を仮定したチャネル状態情報及び多重コードワード送信を仮定したチャネル状態情報を含むことを特徴とする、請求項７に記載の端末。
【発明の詳細な説明】
【技術分野】
【０００１】
本発明は無線通信システムに関し、より詳しくは、次世代通信システムにおいてコードワードとレイヤをマッピングする方法及びそのための装置に関する。
【背景技術】
【０００２】
本発明を適用できる無線通信システムの一例として、３ＧＰＰ ＬＴＥ(３ｒｄ Ｇｅｎｅｒａｔｉｏｎ Ｐａｒｔｎｅｒｓｈｉｐ Ｐｒｏｊｅｃｔ Ｌｏｎｇ Ｔｅｒｍ Ｅｖｏｌｕｔｉｏｎ；以下、「ＬＴＥ」という)通信システムについて概略的に説明する。
【０００３】
図１は、無線通信システムの一例としてＥ−ＵＭＴＳネットワーク構造を示す概略図である。Ｅ−ＵＭＴＳ(Ｅｖｏｌｖｅｄ Ｕｎｉｖｅｒｓａｌ Ｍｏｂｉｌｅ Ｔｅｌｅｃｏｍｍｕｎｉｃａｔｉｏｎｓ Ｓｙｓｔｅｍ)は、既存のＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)から進展したシステムであり、現在３ＧＰＰで基礎的な標準化作業が進行中である。一般に、Ｅ−ＵＭＴＳをＬＴＥ(Ｌｏｎｇ Ｔｅｒｍ Ｅｖｏｌｕｔｉｏｎ)システムとも言える。ＵＭＴＳ及びＥ−ＵＭＴＳの技術規格(ｔｅｃｈｎｉｃａｌ ｓｐｅｃｉｆｉｃａｔｉｏｎ)の詳細な内容については、それぞれ「３ｒｄ Ｇｅｎｅｒａｔｉｏｎ Ｐａｒｔｎｅｒｓｈｉｐ Ｐｒｏｊｅｃｔ；Ｔｅｃｈｎｉｃａｌ Ｓｐｅｃｉｆｉｃａｔｉｏｎ Ｇｒｏｕｐ Ｒａｄｉｏ Ａｃｃｅｓｓ Ｎｅｔｗｏｒｋ」のＲｅｌｅａｓｅ７及びＲｅｌｅａｓｅ８を参照できる。
【０００４】
図１を参照すると、Ｅ−ＵＭＴＳは、端末(Ｕｓｅｒ Ｅｑｕｉｐｍｅｎｔ；ＵＥ)、基地局(ｅＮｏｄｅＢ；ｅＮＢ)、及びネットワーク(Ｅ−ＵＴＲＡＮ)の終端に位置して、外部ネットワークに接続するアクセスゲートウェイ(Ａｃｃｅｓｓ Ｇａｔｅｗａｙ；ＡＧ)を含む。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５、２．５、５、１０、１５、２０ＭＨｚなどの帯域幅のいずれか一つに設定され、複数の端末に下り又は上り送信サービスを提供する。互いに異なるセルは、互いに異なる帯域幅を提供するように設定される。基地局は、複数の端末に対するデータ送受信を制御する。下りリンク(Ｄｏｗｎｌｉｎｋ；ＤＬ)データに対して、基地局は下りリンクスケジューリング情報を送信し、該当端末にデータが送信される時間／周波数領域、符号化、データサイズ、ＨＡＲＱ(Ｈｙｂｒｉｄ Ａｕｔｏｍａｔｉｃ Ｒｅｐｅａｔ ａｎｄ ｒｅＱｕｅｓｔ)関連情報などを知らせる。また、上りリンク(Ｕｐｌｉｎｋ；ＵＬ)データに対して、基地局は上りリンクスケジューリング情報を該当端末に送信し、該当端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク(Ｃｏｒｅ Ｎｅｔｗｏｒｋ；ＣＮ)は、ＡＧ、及び端末のユーザ登録などのためのネットワークノードなどで構成可能である。ＡＧは、複数のセルで構成されるＴＡ(Ｔｒａｃｋｉｎｇ Ａｒｅａ)単位に端末の移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
以上からして、以下では、次世代通信システムにおいてコードワードとレイヤをマッピングする方法及びそのための装置を提案する。
【課題を解決するための手段】
【０００８】
本発明の一態様による無線通信システムにおいて、端末が少なくとも１つのコードワードを含む下りリンク信号を受信する方法は、基地局から新規送信された、第１数のレイヤにより第１コードワードを受信し、第２数のレイヤにより第２コードワードを受信する段階、基地局に第１コードワード及び第２コードワードのうちの１つに対する否定応答を送信する段階、基地局から否定応答に対応して再送信されたコードワード及び新規送信された第３コードワードを受信する段階を含み、第１数及び第２数の和は多重コードワード送信のための最小ランク値であり、再送信されたコードワード及び新規送信された第３コードワードは多重コードワード送信のための最小ランク値より小さい特定数のレイヤにより受信され、再送信されたコードワードが受信されるレイヤの数は新規送信時と同一であることを特徴とする。
【０００９】
また、本発明の一態様による無線通信システムにおいて、少なくとも１つのコードワードを含む下りリンク信号を受信する端末は、無線通信モジュール、及び該無線通信モジュールに連結され、基地局から新規送信された、第１コードワードを第１数のレイヤにより受信し、第２コードワードを第２数のレイヤにより受信し、基地局に第１コードワード及び第２コードワードのうちの１つに対する否定応答を送信し、基地局から否定応答に対応して再送信されたコードワード及び新規送信された第３コードワードを受信するプロセッサを含み、第１数及び第２数の和は多重コードワード送信のための最小ランク値であり、再送信されたコードワード及び新規送信された第３コードワードは多重コードワード送信のための最小ランク値より小さい特定数のレイヤにより受信され、再送信されたコードワードが受信されるレイヤの数は新規送信時と同一であることを特徴とする。
【００１０】
好ましいは、多重コードワード送信のための最小ランク値は５であり、特定数は４であることを特徴とする。より好ましくは、第１数は２であり、第２数は３であり、再送信されたコードワードが第１コードワードである場合、第３コードワードは２つのレイヤにより受信され、再送信されたコードワードが第２コードワードである場合、第３コードワードは１つのレイヤにより受信されることを特徴とする。
【００１１】
さらに、端末は否定応答を送信した後、特定数に対応するランク情報を基地局にフィードバックすることができる。この場合、特定数に対応するランク情報は単一コードワード送信を仮定したチャネル状態情報及び多重コードワード送信を仮定したチャネル状態情報を含むことを特徴とする。
【発明の効果】
【００１２】
本発明の実施例によれば、次世代通信システムにおいてコードワードとレイヤをマッピングをチャネル状況に合わせてより効率的に行うことができる。
【００１３】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００１４】
【図１】無線通信システムの一例としてＥ−ＵＭＴＳネットワーク構造を示す概略図である。
【図２】３ＧＰＰ無線接続ネットワーク規格に基づく端末とＥ−ＵＴＲＡＮ間の無線インターフェースプロトコル(Ｒａｄｉｏ Ｉｎｔｅｒｆａｃｅ Ｐｒｏｔｏｃｏｌ)の制御平面(Ｃｏｎｔｒｏｌ Ｐｌａｎｅ)及びユーザ平面(Ｕｓｅｒ Ｐｌａｎｅ)構造を示す図である。
【図３】３ＧＰＰシステムに用いられる物理チャネル及びこれらのチャネルを用いた一般的な信号送信方法を説明するための図である。
【図４】ＬＴＥシステムで用いられる無線フレームの構造を例示する図である。
【図５】ＬＴＥシステムで用いられる下りリンク無線フレームの構造を例示する図である。
【図６】ＬＴＥシステムで用いられる上りリンクサブフレームの構造を示す図である。
【図７】ＴＸＲＵとアンテナ要素の代表的な連結方式を示す図である。
【図８】セルフサブフレームの構造(Ｓｅｌｆ−Ｃｏｎｔａｉｎｅｄ ｓｕｂｆｒａｍｅ ｓｔｒｕｃｔｕｒｅ)を示す図である。
【図９】本発明の実施例によって少なくとも１つのコードワードを含む下りリンク信号を受信する方法を例示するフローチャートである。
【図１０】本発明の一実施例による通信装置を示すブロック構成図である。
【発明を実施するための形態】
【００１５】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００１６】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。
【００１７】
また、本明細書では、基地局をＲＲＨ(ｒｅｍｏｔｅ ｒａｄｉｏ ｈｅａｄ)、ｅＮＢ、ＴＰ(ｔｒａｎｓｍｉｓｓｉｏｎ ｐｏｉｎｔ)、ＲＰ(ｒｅｃｅｐｔｉｏｎ ｐｏｉｎｔ)、中継機(ｒｅｌａｙ)などを含む包括的な名称として使う。
【００１８】
図２は、３ＧＰＰ無線接続網規格に基づく端末とＥ−ＵＴＲＡＮとの間の無線インターフェースプロトコル(Ｒａｄｉｏ Ｉｎｔｅｒｆａｃｅ Ｐｒｏｔｏｃｏｌ)の制御平面及びユーザ平面の構造を示す図である。制御平面とは、端末(Ｕｓｅｒ Ｅｑｕｉｐｍｅｎｔ；ＵＥ)とネットワークとが信号を管理するために用いる制御メッセージが送信される通路のことを意味する。ユーザ平面とは、アプリケーション層で生成されたデータ、例えば、音声データ又はインターネットパケットデータなどが送信される通路のことを意味する。
【００１９】
第１層である物理層は、物理チャネル(Ｐｈｙｓｉｃａｌ Ｃｈａｎｎｅｌ)を用いて上位層に情報送信サービス(Ｉｎｆｏｒｍａｔｉｏｎ Ｔｒａｎｓｆｅｒ Ｓｅｒｖｉｃｅ)を提供する。物理層は、上位の媒体接続制御(Ｍｅｄｉｕｍ Ａｃｃｅｓｓ Ｃｏｎｔｒｏｌ)層とは送信チャネル(Ｔｒａｎｓｐｏｒｔ Ｃｈａｎｎｅｌ)を介して接続されている。該送信チャネルを通じて媒体接続制御層と物理層との間にデータが移動する。送信側の物理層と受信側の物理層との間には物理チャネルを通じてデータが移動する。該物理チャネルは、時間及び周波数を無線リソースとして活用する。具体的に、物理チャネルは、下りリンクにおいてＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)方式で変調され、上りリンクにおいてＳＣ−ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)方式で変調される。
【００２０】
第２層の媒体接続制御(Ｍｅｄｉｕｍ Ａｃｃｅｓｓ Ｃｏｎｔｒｏｌ；ＭＡＣ)層は、論理チャネル(Ｌｏｇｉｃａｌ Ｃｈａｎｎｅｌ)を通じて、上位層である無線リンク制御(Ｒａｄｉｏ Ｌｉｎｋ Ｃｏｎｔｒｏｌ；ＲＬＣ)層にサービスを提供する。第２層のＲＬＣ層は、信頼できるデータ送信を支援する。ＲＬＣ層の機能は、ＭＡＣ内部の機能ブロックとしてもよい。第２層のＰＤＣＰ(Ｐａｃｋｅｔ Ｄａｔａ Ｃｏｎｖｅｒｇｅｎｃｅ Ｐｒｏｔｏｃｏｌ)層は、帯域幅の狭い無線インターフェースでＩＰｖ４やＩＰｖ６のようなＩＰパケットを効率的に送信するために、余分の制御情報を減らすヘッダー圧縮(Ｈｅａｄｅｒ Ｃｏｍｐｒｅｓｓｉｏｎ)機能を果たす。
【００２１】
第３層の最下部に位置する無線リソース制御(Ｒａｄｉｏ Ｒｅｓｏｕｒｃｅ Ｃｏｎｔｒｏｌ；ＲＲＣ)層は、制御平面にのみ定義される。ＲＲＣ層は、無線ベアラー(Ｒａｄｉｏ Ｂｅａｒｅｒ)の設定(Ｃｏｎｆｉｇｕｒａｔｉｏｎ)、再設定(Ｒｅ−ｃｏｎｆｉｇｕｒａｔｉｏｎ)及び解除(Ｒｅｌｅａｓｅ)に関連して、論理チャネル、送信チャネル及び物理チャネルの制御を担当する。無線ベアラー(ＲＢ)とは、端末とネットワーク間のデータ伝達のために第２層により提供されるサービスのことを意味する。そのために、端末のＲＲＣ層とネットワークのＲＲＣ層とはＲＲＣメッセージを互いに交換する。端末のＲＲＣ層とネットワークのＲＲＣ層間にＲＲＣ接続(ＲＲＣ Ｃｏｎｎｅｃｔｅｄ)がある場合に、端末はＲＲＣ接続状態(Ｃｏｎｎｅｃｔｅｄ Ｍｏｄｅ)にあり、そうでない場合は、ＲＲＣ休止状態(Ｉｄｌｅ Ｍｏｄｅ)にあるようになる。ＲＲＣ層の上位にあるＮＡＳ(Ｎｏｎ−Ａｃｃｅｓｓ Ｓｔｒａｔｕｍ)層は、セッション管理(Ｓｅｓｓｉｏｎ Ｍａｎａｇｅｍｅｎｔ)と移動性管理(Ｍｏｂｉｌｉｔｙ Ｍａｎａｇｅｍｅｎｔ)などの機能を果たす。
【００２２】
ネットワークから端末にデータを送信する下り送信チャネルとしては、システム情報を送信するＢＣＨ(Ｂｒｏａｄｃａｓｔ Ｃｈａｎｎｅｌ)、ページングメッセージを送信するＰＣＨ(Ｐａｇｉｎｇ Ｃｈａｎｎｅｌ)、ユーザトラフィックや制御メッセージを送信する下りＳＣＨ(Ｓｈａｒｅｄ Ｃｈａｎｎｅｌ)などがある。下りマルチキャスト又は放送サービスのトラフィック又は制御メッセージは、下りＳＣＨを介して送信されてもよく、別の下りＭＣＨ(Ｍｕｌｔｉｃａｓｔ Ｃｈａｎｎｅｌ)を通じて送信されてもよい。一方、端末からネットワークにデータを送信する上り送信チャネルとしては、初期制御メッセージを送信するＲＡＣＨ(Ｒａｎｄｏｍ Ａｃｃｅｓｓ Ｃｈａｎｎｅｌ)、ユーザトラフィックや制御メッセージを送信する上りＳＣＨ(Ｓｈａｒｅｄ Ｃｈａｎｎｅｌ)がある。送信チャネルの上位に存在し、送信チャネルにマッピングされる論理チャネル(Ｌｏｇｉｃａｌ Ｃｈａｎｎｅｌ)としては、ＢＣＣＨ(Ｂｒｏａｄｃａｓｔ Ｃｏｎｔｒｏｌ Ｃｈａｎｎｅｌ)、ＰＣＣＨ(Ｐａｇｉｎｇ Ｃｏｎｔｒｏｌ Ｃｈａｎｎｅｌ)、ＣＣＣＨ(Ｃｏｍｍｏｎ Ｃｏｎｔｒｏｌ Ｃｈａｎｎｅｌ)、ＭＣＣＨ(Ｍｕｌｔｉｃａｓｔ Ｃｏｎｔｒｏｌ Ｃｈａｎｎｅｌ)、ＭＴＣＨ(Ｍｕｌｔｉｃａｓｔ Ｔｒａｆｆｉｃ Ｃｈａｎｎｅｌ)などがある。
【００２３】
図３は、３ＧＰＰシステムに用いられる物理チャネル及びこれらのチャネルを用いた一般の信号送信方法を説明するための図である。
【００２４】
端末は、電源が入ったり、新しくセルに進入したりした場合に、基地局と同期を取る等の初期セル探索(Ｉｎｉｔｉａｌ ｃｅｌｌ ｓｅａｒｃｈ)作業を行う(Ｓ３０１)。そのために、端末は、基地局からプライマリ同期チャネル(Ｐｒｉｍａｒｙ Ｓｙｎｃｈｒｏｎｉｚａｔｉｏｎ Ｃｈａｎｎｅｌ；Ｐ−ＳＣＨ)及びセカンダリ同期チャネル(Ｓｅｃｏｎｄａｒｙ Ｓｙｎｃｈｒｏｎｉｚａｔｉｏｎ Ｃｈａｎｎｅｌ；Ｓ−ＳＣＨ)を受信して基地局と同期を取り、セルＩＤなどの情報を取得すればよい。その後、端末は、基地局から物理放送チャネル(Ｐｈｙｓｉｃａｌ Ｂｒｏａｄｃａｓｔ Ｃｈａｎｎｅｌ)を受信し、セル内放送情報を取得できる。一方、端末は、初期セル探索段階で、下りリンク参照信号(Ｄｏｗｎｌｉｎｋ Ｒｅｆｅｒｅｎｃｅ Ｓｉｇｎａｌ；ＤＬ ＲＳ)を受信し、下りリンクチャネル状態を確認できる。
【００２５】
初期セル探索を終えた端末は、物理下りリンク制御チャネル(Ｐｈｙｓｉｃａｌ Ｄｏｗｎｌｉｎｋ Ｃｏｎｔｒｏｌ Ｃｈａｎｎｅｌ；ＰＤＣＣＨ)、及び該ＰＤＣＣＨに載せられた情報に基づいて物理下りリンク共有チャネル(Ｐｈｙｓｉｃａｌ Ｄｏｗｎｌｉｎｋ Ｃｏｎｔｒｏｌ Ｃｈａｎｎｅｌ；ＰＤＳＣＨ)を受信することによって、より具体的なシステム情報を取得できる(Ｓ３０２)。
【００２６】
一方、基地局に最初に接続したり信号送信のための無線リソースがない場合には、端末は、基地局にランダムアクセス手順(Ｒａｎｄｏｍ Ａｃｃｅｓｓ Ｐｒｏｃｅｄｕｒｅ；ＲＡＣＨ)を行ってよい(Ｓ３０３乃至Ｓ３０６)。そのために、端末は、物理ランダムアクセスチャネル(Ｐｈｙｓｉｃａｌ Ｒａｎｄｏｍ Ａｃｃｅｓｓ Ｃｈａｎｎｅｌ；ＰＲＡＣＨ)を通じて特定シーケンスをプリアンブルとして送信し(Ｓ３０３及びＳ３０５)、ＰＤＣＣＨ及び対応するＰＤＳＣＨを介して、プリアンブルに対する応答メッセージを受信すればよい(Ｓ３０４及びＳ３０６)。競合ベースのＲＡＣＨについては、競合解決手順(Ｃｏｎｔｅｎｔｉｏｎ Ｒｅｓｏｌｕｔｉｏｎ Ｐｒｏｃｅｄｕｒｅ)をさらに行ってもよい。
【００２７】
上述の手順を行った端末は、その後、一般的な上りリンク／下りリンク信号送信手順として、ＰＤＣＣＨ／ＰＤＳＣＨ受信(Ｓ３０７)、及び物理上りリンク共有チャネル(Ｐｈｙｓｉｃａｌ Ｕｐｌｉｎｋ Ｓｈａｒｅｄ Ｃｈａｎｎｅｌ；ＰＵＳＣＨ)／物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)送信(Ｓ３０８)を行えばよい。特に、端末はＰＤＣＣＨを介して下りリンク制御情報(Ｄｏｗｎｌｉｎｋ Ｃｏｎｔｒｏｌ Ｉｎｆｏｒｍａｔｉｏｎ；ＤＣＩ)を受信する。ここで、ＤＣＩは、端末に対するリソース割り当て情報のような制御情報を含んでおり、その使用目的によってフォーマットが異なっている。
【００２８】
一方、端末が上りリンクを通じて基地局に送信する又は端末が基地局から受信する制御情報としては、下りリンク／上りリンクＡＣＫ／ＮＡＣＫ信号、ＣＱＩ(Ｃｈａｎｎｅｌ Ｑｕａｌｉｔ Ｉｎｄｉｃａｔｏｒ)、ＰＭＩ(Ｐｒｅｃｏｄｉｎｇ Ｍａｔｒｉｘ Ｉｎｄｅｘ)、ＲＩ(Ｒａｎｋ Ｉｎｄｉｃａｔｏｒ)などを含む。３ＧＰＰ ＬＴＥシステムでは、端末は、これらのＣＱＩ／ＰＭＩ／ＲＩなどの制御情報をＰＵＳＣＨ及び／又はＰＵＣＣＨを介して送信してもよい。
【００２９】
図４は、ＬＴＥシステムで用いられる無線フレームの構造を例示する図である。
【００３０】
図４を参照すると、無線フレーム(ｒａｄｉｏ ｆｒａｍｅ)は１０ｍｓ(３２７２００×Ｔｓ)の長さを有し、１０個の均等なサイズのサブフレームで構成されている。それぞれのサブフレームは１ｍｓの長さを有し、２個のスロットで構成されている。それぞれのスロットは０．５ｍｓ(１５３６０×Ｔｓ)の長さを有する。ここで、Ｔｓはサンプリング時間を表し、Ｔｓ＝１／(１５ｋＨｚ×２０４８)＝３．２５５２×１０−８(約３３ｎｓ)で表示される。スロットは時間領域において複数のＯＦＤＭシンボルを含み、周波数領域において複数のリソースブロック(Ｒｅｓｏｕｒｃｅ Ｂｌｏｃｋ；ＲＢ)を含む。ＬＴＥシステムにおいて一つのリソースブロックは１２個の副搬送波×７(６)個のＯＦＤＭシンボルを含む。データの送信される単位時間であるＴＴＩ(Ｔｒａｎｓｍｉｓｓｉｏｎ Ｔｉｍｅ Ｉｎｔｅｒｖａｌ)は一つ以上のサブフレーム単位に定めることができる。上述した無線フレームの構造は例示に過ぎず、無線フレームに含まれるサブフレームの数、サブフレームに含まれるスロットの数、又はスロットに含まれるＯＦＤＭシンボルの数は様々に変更されてもよい。
【００３１】
図５は、下りリンク無線フレームにおいて一つのサブフレームの制御領域に含まれる制御チャネルを例示する図である。
【００３２】
図５を参照すると、サブフレームは１４個のＯＦＤＭシンボルで構成されている。サブフレーム設定によって先頭の１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する基準信号(Ｒｅｆｅｒｅｎｃｅ Ｓｉｇｎａｌ(ＲＳ)又はＰｉｌｏｔ Ｓｉｇｎａｌ)を表す。ＲＳは、制御領域及びデータ領域を問わず、サブフレーム内に一定のパターンで固定される。制御チャネルは、制御領域においてＲＳの割り当てられていないリソースに割り当てられ、トラフィックチャネルもデータ領域においてＲＳの割り当てられていないリソースに割り当てられる。制御領域に割り当てられる制御チャネルには、ＰＣＦＩＣＨ(Ｐｈｙｓｉｃａｌ Ｃｏｎｔｒｏｌ Ｆｏｒｍａｔ Ｉｎｄｉｃａｔｏｒ ＣＨａｎｎｅｌ)、ＰＨＩＣＨ(Ｐｈｙｓｉｃａｌ Ｈｙｂｒｉｄ−ＡＲＱ Ｉｎｄｉｃａｔｏｒ ＣＨａｎｎｅｌ)、ＰＤＣＣＨ(Ｐｈｙｓｉｃａｌ Ｄｏｗｎｌｉｎｋ Ｃｏｎｔｒｏｌ ＣＨａｎｎｅｌ)などがある。
【００３３】
ＰＣＦＩＣＨは物理制御フォーマット指示子チャネルで、毎サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは４個のＲＥＧ(Ｒｅｓｏｕｒｃｅ Ｅｌｅｍｅｎｔ Ｇｒｏｕｐ)で構成され、それぞれのＲＥＧはセルＩＤ(Ｃｅｌｌ ＩＤｅｎｔｉｔｙ)に基づいて制御領域内に分散される。一つのＲＥＧは４個のＲＥ(Ｒｅｓｏｕｒｃｅ Ｅｌｅｍｅｎｔ)で構成される。ＲＥは、１副搬送波×１ＯＦＤＭシンボルと定義される最小物理リソースを表す。ＰＣＦＩＣＨ値は帯域幅によって１〜３又は２〜４の値を指示し、ＱＰＳＫ(Ｑｕａｄｒａｔｕｒｅ Ｐｈａｓｅ Ｓｈｉｆｔ Ｋｅｙｉｎｇ)で変調される。
【００３４】
ＰＨＩＣＨは、物理ＨＡＲＱ(Ｈｙｂｒｉｄ−Ａｕｔｏｍａｔｉｃ Ｒｅｐｅａｔ ａｎｄ ｒｅｑｕｅｓｔ)指示子チャネルで、上りリンク送信に対するＨＡＲＱ ＡＣＫ／ＮＡＣＫを運ぶために用いられる。即ち、ＰＨＩＣＨは、ＵＬ ＨＡＲＱのためのＤＬ ＡＣＫ／ＮＡＣＫ情報が送信されるチャネルを表す。ＰＨＩＣＨは、１個のＲＥＧで構成され、セル特定(ｃｅｌｌ−ｓｐｅｃｉｆｉｃ)にスクランブル(ｓｃｒａｍｂｌｉｎｇ)される。ＡＣＫ／ＮＡＣＫは１ビットで指示され、ＢＰＳＫ(Ｂｉｎａｒｙ ｐｈａｓｅ ｓｈｉｆｔ ｋｅｙｉｎｇ)で変調される。変調されたＡＣＫ／ＮＡＣＫは拡散因子(Ｓｐｒｅａｄｉｎｇ Ｆａｃｔｏｒ；ＳＦ)＝２又は４で拡散される。同一のリソースにマッピングされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ(グループ)は周波数領域及び／又は時間領域においてダイバーシティ得を得るために３回繰り返し(ｒｅｐｅｔｉｔｉｏｎ)される。
【００３５】
ＰＤＣＣＨは物理下りリンク制御チャネルで、サブフレームにおける先頭のｎ個のＯＦＤＭシンボルに割り当てられる。ここで、ｎは１以上の整数で、ＰＣＦＩＣＨによって指示される。ＰＤＣＣＨは一つ以上のＣＣＥで構成される。ＰＤＣＣＨは、送信チャネルであるＰＣＨ(Ｐａｇｉｎｇ ｃｈａｎｎｅｌ)及びＤＬ−ＳＣＨ(Ｄｏｗｎｌｉｎｋ−ｓｈａｒｅｄ ｃｈａｎｎｅｌ)のリソース割り当てに関する情報、上りリンクスケジューリンググラント(Ｕｐｌｉｎｋ Ｓｃｈｅｄｕｌｉｎｇ Ｇｒａｎｔ)、ＨＡＲＱ情報などを各端末又は端末グループに知らせる。ＰＣＨ(Ｐａｇｉｎｇ ｃｈａｎｎｅｌ)及びＤＬ−ＳＣＨ(Ｄｏｗｎｌｉｎｋ−ｓｈａｒｅｄ ｃｈａｎｎｅｌ)はＰＤＳＣＨを介して送信される。従って、基地局と端末は一般に、特定の制御情報又は特定のサービスデータ以外は、ＰＤＳＣＨを介してデータをそれぞれ送信及び受信する。
【００３６】
ＰＤＳＣＨのデータがいずれの端末(一つ又は複数の端末)に送信されるものか、これら端末がどのようにＰＤＳＣＨデータを受信してデコードしなければならないかに関する情報などは、ＰＤＣＣＨに含まれて送信される。例えば、特定ＰＤＣＣＨが「Ａ」というＲＮＴＩ(Ｒａｄｉｏ Ｎｅｔｗｏｒｋ Ｔｅｍｐｏｒａｒｙ Ｉｄｅｎｔｉｔｙ)でＣＲＣマスクされており、「Ｂ」という無線リソース(例えば、周波数位置)及び「Ｃ」というＤＣＩフォーマット、即ち、送信形式情報(例えば、送信ブロックサイズ、変調方式、コーディング情報など)を用いて送信されるデータに関する情報が、特定サブフレームで送信されると仮定する。この場合、セル内の端末は、自身が持っているＲＮＴＩ情報を用いて検索領域でＰＤＣＣＨをモニタリング、即ち、ブラインドデコードし、「Ａ」のＲＮＴＩを持っている一つ以上の端末があると、これらの端末はＰＤＣＣＨを受信し、受信したＰＤＣＣＨの情報に基づいて「Ｂ」と「Ｃ」によって指示されるＰＤＳＣＨを受信する。
【００３７】
図６は、ＬＴＥシステムで用いられる上りリンクサブフレームの構造を示す図である。
【００３８】
図６を参照すると、上りリンクサブフレームは、制御情報を運ぶＰＵＣＣＨ(Ｐｈｙｓｉｃａｌ Ｕｐｌｉｎｋ Ｃｏｎｔｒｏｌ ＣＨａｎｎｅｌ)が割り当てられる領域と、ユーザデータを運ぶＰＵＳＣＨ(Ｐｈｙｓｉｃａｌ Ｕｐｌｉｎｋ Ｓｈａｒｅｄ ＣＨａｎｎｅｌ)が割り当てられる領域とに区別される。サブフレームにおいて中間部分がＰＵＳＣＨに割り当てられ、周波数領域においてデータ領域の両側部分がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ(Ｃｈａｎｎｅｌ Ｑｕａｌｉｔｙ Ｉｎｄｉｃａｔｏｒ)、ＭＩＭＯのためのＲＩ(Ｒａｎｋ Ｉｎｄｉｃａｔｏｒ)、上りリンクリソース割り当て要請であるＳＲ(Ｓｃｈｅｄｕｌｉｎｇ Ｒｅｑｕｅｓｔ)などがある。一つの端末に対するＰＵＣＣＨは、サブフレーム内の各スロットで互いに異なる周波数を占める一つのリソースブロックを使用する。即ち、ＰＵＣＣＨに割り当てられる２個のリソースブロックはスロット境界で周波数ホッピング(ｆｒｅｑｕｅｎｃｙ ｈｏｐｐｉｎｇ)する。特に、図６は、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられるとしている。
【００３９】
以下、チャネル状態情報(ｃｈａｎｎｅｌ ｓｔａｔｅ ｉｎｆｏｒｍａｔｉｏｎ、ＣＳＩ)の報告について説明する。現在ＬＴＥ標準では、チャネル状態情報なしに運用される開ループ(ｏｐｅｎ−ｌｏｏｐ)ＭＩＭＯと、チャネル状態情報に基づいて運用される閉ループ(ｃｌｏｓｅｄ−ｌｏｏｐ)ＭＩＭＯの２つの送信方式が存在する。特に、閉ループＭＩＭＯでは、ＭＩＭＯアンテナの多重化利得(ｍｕｌｔｉｐｌｅｘｉｎｇ ｇａｉｎ)を得るために、基地局及び端末は各々チャネル状態情報に基づいてビーム形成を行うことができる。基地局はチャネル状態情報を端末から得るために、端末にＰＵＣＣＨ(Ｐｈｙｓｉｃａｌ Ｕｐｌｉｎｋ ｃｏｎｔｒｏｌ ＣＨａｎｎｅｌ)又はＰＵＳＣＨ(Ｐｈｙｓｉｃａｌ Ｕｐｌｉｎｋ Ｓｈａｒｅｄ ＣＨａｎｎｅｌ)を割り当てて下りリンク信号に関するチャネル状態情報(ＣＳＩ)をフィードバックするように命令する。
【００４０】
ＣＳＩは大きく、ＲＩ(Ｒａｎｋ Ｉｎｄｉｃａｔｏｒ)、ＰＭＩ(Ｐｒｅｃｏｄｉｎｇ Ｍａｔｒｉｘ Ｉｎｄｅｘ)、ＣＱＩ(ＣＨＡＮＮＥＬ Ｑｕａｌｉｔｙ Ｉｎｄｉｃａｔｉｏｎ)の３つの情報に分類される。第一に、上述したように、ＲＩはチャネルのランク情報を示し、端末が同じ周波数−時間リソースにより受信可能なストリームの数を意味する。ＲＩはチャネルの長周期フェージング(Ｌｏｎｇ Ｔｅｒｍ ｆａｄｉｎｇ)により決定されるので、通常、ＰＭＩ、ＣＱＩ値より長い周期で基地局にフィードバックされる。
【００４１】
第二に、ＰＭＩはチャネルの空間特性を反映した値であり、ＳＩＮＲなどのメトリックスを基準として端末が選好する基地局のプリコーディング行列インデックスを示す。最後に、ＣＱＩはチャネルの強度を示す値であり、通常基地局がＰＭＩを用いた時に得られる受信ＳＩＮＲを意味する。
【００４２】
３ＧＰＰ ＬＴＥ−Ａシステムにおいて、基地局は多数のＣＳＩプロセスをＵＥに設定し、各ＣＳＩプロセスに対するＣＳＩが報告される。ここで、ＣＳＩプロセスは、基地局からの信号品質特定のためのＣＳＩ−ＲＳリソースと、干渉測定のためのＣＳＩ−ＩＭ(ｉｎｔｅｒｆｅｒｅｎｃｅ ｍｅａｓｕｒｅｍｅｎｔ)リソース、即ち、ＩＭＲ(ｉｎｔｅｒｆｅｒｅｎｃｅ ｍｅａｓｕｒｅｍｅｎｔ ＲＥｓｏｕｒｃｅ)とで構成される。
【００４３】
ミリ波(Ｍｉｌｌｉｍｅｔｅｒ Ｗａｖｅ、ｍｍＷ)では波長が短いので、同一面積に多数のアンテナ要素(ｅｌｅｍｅｎｔ)の設置が可能である。即ち、３０ＧＨｚ帯域において波長は１ｃｍであるので、４＊４ｃｍのパネルに０．５ｌａｍｂｄａ(波長)間隔で２次元(２−ｄｉｍｅｎｓｉｏｎ)配列する場合、総６４(８×８)個のアンテナ要素を設けることができる。これにより、ミリ波(ｍｍＷ)では多数のアンテナ要素を使用してビーム形成(ｂｅａｍｆｏｒｍｉｎｇ、ＢＦ)利得を上げてカバレッジを増加させるか、或いはスループット(ｔｈｒｏｕｇｈｐｕｔ)を向上させることができる。
【００４４】
この時、アンテナ要素ごとに伝送パワー及び位相の調節ができるように、各々のアンテナ要素はＴＸＲＵ(ｔｒａｎｓｃｅｉｖｅｒ)を含む。これにより、各々のアンテナ要素は周波数リソースごとに独立的なビーム形成を行うことができる。しかし、１００余個の全てのアンテナ要素にＴＸＲＵを設けることは費用面で実効性が乏しい。従って、１つのＴＸＲＵに多数のアンテナ要素をマッピングし、アナログ位相シフター(ａｎａｌｏｇ ｐｈａｓｅ ｓｈｉｆｔｅｒ)でビーム方向を調節する方式が考えられている。かかるアナログビーム形成方式では全帯域において１つのビーム方向のみを形成できるので、周波数選択的なビーム形成が難しいという短所がある。
【００４５】
デジタルビーム形成及びアナログビーム形成の中間形態として、Ｑ個のアンテナ要素より少ない数のＢ個のＴＸＲＵを有するハイブリッドビーム形成(ｈｙｂｒｉｄ ＢＦ)が考えられる。この場合、Ｂ個のＴＸＲＵとＱ個のアンテナ要素の連結方式によって差はあるが、同時に伝送可能なビームの方向はＢ個以下に制限される。
【００４６】
図７はＴＸＲＵとアンテナ要素の連結方式の一例を示す。
【００４７】
図７の(ａ)はＴＸＲＵがサブアレイ(ｓｕｂ−ａｒｒａｙ)に連結された方式を示す。この場合、アンテナ要素は１つのＴＸＲＵのみに連結される。一方、図７の(ｂ)はＴＸＲＵが全てのアンテナ要素に連結される方式を示す。この場合、アンテナ要素は全てのＴＸＲＵに連結される。図７において、Ｗはアナログ位相シフター(ａｎａｌｏｇ ｐｈａｓｅ ｓｈｉｆｔｅｒ)により乗じられる位相ベクトルを示す。即ち、Ｗによってアナログビーム形成の方向が決定される。ここで、ＣＳＩ−ＲＳアンテナポートと複数のＴＸＲＵとのマッピングは１：１又は１：多である。
【００４８】
より多い通信機器がより大きな通信容量を要求することにより、既存の無線接続技術(ｒａｄｉｏ ａｃｃｅｓｓ ｔｅｃｈｎｏｌｏｇｙ、ＲＡＴ)に比べて向上したモバイルブロードバンド通信の必要性が高まっている。また、多数の器機及びモノを連結していつでもどこでも多様なサービスを提供する大規模の(ｍａｓｓｉｖｅ)ＭＴＣが次世代通信の主要争点の１つになっている。さらに信頼性及び遅延(ｌａｔｅｎｃｙ)に敏感なサービス／ＵＥを考慮した通信システムのデザインも考えられている。これらを考慮した次世代ＲＡＴの導入が論議されており、本発明では便宜上、Ｎｅｗ ＲＡＴと呼ぶ。
【００４９】
ＴＤＤシステムにおいて、データ送信遅延を最小化するために、５世代ＮｅｗＲＡＴでは図８のようなセルフサブフレームの構造を考慮している。図８はセルフサブフレームの構造の一例である。
【００５０】
図８において斜線領域は下りリンク制御領域を示し、黒い部分は上りリンク制御領域を示す。表示のない領域は、下りリンクデータ送信又は上りリンクデータ送信のために使用されることができる。かかる構造の特徴は、１つのサブフレーム内で下りリンク送信と上りリンク送信が順に行われて、サブフレーム内で下りリンクデータを送り、上りリンクＡＣＫ／ＮＡＣＫも受けることができる。結果として、データ送信のエラー発生時にデータの再送信までかかる時間を減らすことができ、これにより最終データの伝達遅延を最小化することができる。
【００５１】
かかるセルフサブフレーム構造において、基地局とＵＥが送信モードから受信モードへの転換過程又は受信モードから送信モードへの転換過程のための時間ギャップ(ｔｉｍｅ ｇａｐ)が必要である。このために、セルフサブフレーム構造において、下りリンクから上りリンクに転換される時点の一部のＯＦＤＭシンボル(ＯＦＤＭシンボル;ＯＳ)がＧＰ(ｇｕａｒｄ ｐｅｒｉｏｄ)として設定される。
【００５２】
ＮｅｗＲＡＴに基づいて動作するシステムにおいて、構成／設定可能なセルフサブフレームのタイプの一例として、少なくとも以下の４つのサブフレームタイプが考えられる。
【００５３】
−下りリンク制御区間＋下りリンクデータ区間＋ＧＰ＋上りリンク制御区間
【００５４】
−下りリンク制御区間＋下りリンクデータ区間
【００５５】
−下りリンク制御区間＋ＧＰ＋上りリンクデータ区間＋上りリンク制御区間
【００５６】
−下りリンク制御区間＋ＧＰ＋上りリンクデータ区間
【００５７】
現在のＬＴＥシステム及びＬＴＥ−Ａシステムでは、ＣＷ(Ｃｏｄｅｗｏｒｄ)単位でＭＣＳ(ｍｏｄｕｌａｔｉｏｎ ａｎｄ ｃｏｄｉｎｇ ｓｃｈｅｍｅ)設定とＨＡＲＱ処理が行われ、２レイヤ以上では２ＣＷが送信される。従って、多重レイヤの各チャネル品質が異なる環境で２ＣＷを活用して２つの独立したＭＣＳ設定が可能であり、２つの独立したＡＣＫ／ＮＡＣＫ処理及び再送信が可能である。勿論、２つのＭＣＳフィールド及び２つのＨＡＲＱフィールドによってＤＣＩオーバーヘッドが増加する短所はあるが、リンクアダプテーション(Ｌｉｎｋ ａｄａｐｔａｔｉｏｎ)をより柔軟に運用することによりシステム送信率を最大化できるという長所がある。結果として、多重レイヤ、即ち、多重ランク送信において、各レイヤのチャネル品質が異なるほど多重ＣＷを支援する必要性が大きくなり、逆にチャネル品質が類似するほど単一のＣＷを支援してＤＣＩオーバーヘッドを減らす必要性が大きくなる。
【００５８】
以下、次世代通信システムにおいて、コードワードとレイヤのマッピングとそれによるＤＣＩ構成について提案する。
【００５９】
＜第１実施例＞ 
【００６０】
本発明の第１実施例では、下りリンク単一セル、下りリンクＣｏＭＰ ＪＴ(Ｊｏｉｎｔ ｔｒａｎｓｍｉｓｓｉｏｎ)、上りリンクの３つの状況に区分して、多重ランク送信において各レイヤのチャネル品質がどのくらい異なるかを精密に分析し、各状況に合わせるＣＷ数を提案する。
【００６１】
まず、上りリンク環境では、送信端であるＵＥが双−指向性(ｂｉ−ｄｉｒｅｃｔｉｏｎａｌ)の送信アンテナを使用する。即ち、単一のパネルアンテナであるが、パネル前面方向に向く、即ち、パネル前面方向に送信ビームが形成されるアンテナと、パネル後面方向に向くアンテナで構成されているので、前面アンテナと後面アンテナの間のチャネル品質が異なる可能性が高い。即ち、前面アンテナと後面アンテナで送信された信号が互いに異なる散乱体(ｓｃａｔｔｅｒｅｒ)を介して基地局で受信され、結果的に互いに異なるフェージング(ｆａｄｉｎｇ)チャネルを生成してチャネル品質が異なる。
【００６２】
またＵＥの端末サイズ、価格及びパワーなどを考える時、２つの送信アンテナが双−指向性のアンテナで構成される可能性が高く、上述したように、２レイヤの送信時に各レイヤのチャネル品質が異なることになる。従って、上りリンクにおいて、１レイヤは１ＣＷであるが、２レイヤからは２ＣＷを用いてＭＣＳ設定及びＨＡＲＱ処理をレイヤごとに個々に管理する動作が好ましい。
【００６３】
反面、一般的に下りリンクでは基地局の送信アンテナがパネル全方向に配置されているので、多重レイヤの送信で多重レイヤの間のチャネル品質が大きく異なる可能性が低い。また、Ｘ−ｐｏｌアンテナ環境において、Ｈ−ｐｏｌとＶ−ｐｏｌが各々１レイヤが生成されて総２レイヤが生成され、各ｐｏｌの位置が同一であるので、チャネル品質が類似する可能性が高い。従って、下りリンクでは、１レイヤ及び２レイヤの送信時には１ＣＷを送信するが、３レイヤ以上では２ＣＷを送信することが好ましい。また４レイヤ以下では１ＣＷを送信し、５レイヤ以上では２ＣＷを送信するように設定して、リンクアダプテーションのオーバーヘッド及びＨＡＲＱオーバーヘッドをより減少させることができる。
【００６４】
下りリンクにおいてＣｏＭＰ ＪＴが行われる場合は、送信ＴＰ(又は基地局)が互いに異なる位置でデータを送信するので、各ＴＰごとのチャネル品質が異なる可能性が高い。例えば、２ＴＰの独立したレイヤＪＴを仮定、即ち、ＴＰごとに互いに異なるレイヤを送信してＴＰ１では１〜ｘレイヤを送信し、ＴＰ２ではｘ＋１〜Ｎレイヤを送信すると仮定すると、２ＣＷを使用することが好ましい。即ち、ＴＰ１及びＴＰ２が各々互いに異なるＣＷを送信し、ＣＷごとにリンクアダプテーション及びＨＡＲＱを動作させる。この観点からして、独立したレイヤＪＴの送信時に２レイヤ以上で２ＣＷを使用することが好ましい。
【００６５】
また、送信ＴＰがＸ−ｐｏｌアンテナを用いる場合は、各ＴＰごとｐｏｌごとに１レイヤが生成される状況を考えることができる。この時、ＴＰ１のＨ−ｐｏｌ及びＶ−ｐｏｌに該当する２レイヤはチャネル品質が類似し、ＴＰ２のＨ−ｐｏｌ及びＶ−ｐｏｌに該当する２レイヤはチャネル品質が類似するので、独立したレイヤＪＴの送信時に３レイヤ以上で２ＣＷを使用し、残りは１ＣＷを使用することが好ましい。また４レイヤ以下では１ＣＷを送信し、５レイヤ以上では２ＣＷを送信するように設定して、リンクアダプテーションのオーバーヘッド及びＨＡＲＱオーバーヘッドをより減少させることができる。
【００６６】
以上では、下りリンクの状況をＣｏＭＰとｎｏｎ−ＣｏＭＰに区分して互いに異なるＣＷとレイヤのマッピング及びＣＷ数を定義することを提案した。しかし、具現の複雑度及びシステム運用上の複雑度を考えると、下りリンクにおいてＣｏＭＰとｎｏｎ−ＣｏＭＰの区分無しに共通したＣＷとレイヤのマッピング及びＣＷ数を用いることが好ましい。この場合にも、上りリンクは２レイヤ以上で２ＣＷを使用し、下りリンクは３レイヤ以上、４レイヤ以上又は５レイヤ以上でのみ２ＣＷを使用する。即ち、２ＣＷ使用が開始されるレイヤ数を上りリンクと下りリンクを各々異なるように構成することが好ましい。
【００６７】
さらに、上述したＣＷ数のレイヤ数との関係は初期送信に関し、ＮＡＣＫ発生後の再送信時には１レイヤ乃至４レイヤのうちのいずれでも１ＣＷが送信されることができる。
【００６８】
＜第２実施例＞
【００６９】
１ＣＷと２ＣＷのレイヤ分岐点(即ち、ｘレイヤ以上から２ＣＷが開始される時、ｘ値)によってＤＣＩのＭＣＳ及びＨＡＲＱ関連フィールド(ＲＶ、ＮＤＩ)のオーバーヘッドが減少／増加するようにＤＣＩオーバーヘッドサイズを可変して制御チャネルオーバーヘッドを最適化することができる。このために、ＵＥは上りリンク／下りリンクの各々に対して端末がどのレイヤまでＳＵ ＭＩＭＯを支援できるかというＭＩＭＯ性能又は端末の送信／受信アンテナ数(又はＴＸＲＵ数又はアンテナ数又はアンテナポート数)を基地局にＵＥ性能として報告し、基地局はこれを参照して端末の上りリンク／下りリンクデータの最大送信／受信レイヤがレイヤ分岐点まで到達するか否かを判断する。
【００７０】
例えば、レイヤ分岐点が４であり、ＭＩＭＯ性能が２であると、そのＵＥは常に１ＣＷのみを使用する。又はレイヤ分岐点が２であり、送信アンテナ数が２であり、２ＣＷを使用する。又は上りリンクでは送信アンテナ数と上りリンクＭＩＭＯ性能の最小値とレイヤ分岐点を比較して決定し、下りリンクでは受信アンテナ数と下りリンクＭＩＭＯ性能の最小値とレイヤ分岐点を比較して決定する。送受信アンテナ数は基地局が設定したＳＲＳポート数又はＣＳＩ−ＲＳポート数である。
【００７１】
もしレイヤ分岐点まで到達できない場合は、ＵＥには１ＣＷのみを使用すればよいので、ＤＣＩに１ＣＷに該当するＭＣＳ及びＨＡＲＱフィールドを設定してコンパクトしたＤＣＩを送信する。反面、レイヤ分岐点まで到達した場合は、そのＵＥは２ＣＷを使用できるので、ＤＣＩに２ＣＷに該当するＭＣＳ及びＨＡＲＱフィールドを設定してＤＣＩを送信する。ＵＥは基地局からＤＣＩのペイロードサイズ及び１ＣＷに該当するＭＣＳ及びＨＡＲＱフィールドが設定されたか否か、或いは２ＣＷに該当するＭＣＳ及びＨＡＲＱフィールドが設定されたか否かが指示され、該当ペイロードサイズでＤＣＩをブラインド検出(ＢＤ；ｂｌｉｎｄ ｄｅｔｅｃｔｉｏｎ)する。
【００７２】
上述したように、ＵＥがＣＳＩ−ＲＳポート数(上りリンクである場合、ＳＲＳポート数)とＵＥのＭＩＭＯ性能の最小値とレイヤ分岐点を比較してＤＣＩ内にフィールドサイズを決定する時、搬送波の集成技法(Ｃａｒｒｉｅｒ Ａｇｇｒｅｇａｔｉｏｎ；ＣＡ)を考慮すると、以下のような問題が発生することができる。
【００７３】
ＣＡにおいて、ＵＥはバンド結合(ｂａｎｄ ｃｏｍｂｉｎａｔｉｏｎ)のバンド当たりのバンド幅、即ち、ｐｅｒ ｂａｎｄｗｉｄｔｈ ｐｅｒ ｂａｎｄ ｐｅｒ ｂａｎｄ ｃｏｍｂｉｎａｔｉｏｎ単位でＭＩＭＯ性能(即ち、最大の下りリンク受信可能な(又は上りリンク送信可能な)レイヤ数)を報告する。もしバンド結合を構成するバンドが同じバンドである場合、同じバンドに対して多数のＭＩＭＯ性能が報告されることができ、この場合、多数のＭＩＭＯ性能のうち、最大値でＭＩＭＯ性能を仮定し、ＣＳＩ−ＲＳポート数(上りリンクである場合、ＳＲＳポート数)とＵＥのＭＩＭＯ性能の最小値を決定する。即ち、ＵＥはレイヤ分岐点、設定されたＣＳＩ−ＲＳの最小アンテナポート数及びバンド結合を構成する同じバンドのためのＭＩＭＯ性能の最大値を比較してＤＣＩサイズを決定する。
【００７４】
また多数のＣＳＩ−ＲＳリソースが設定された場合、各ＣＳＩ−ＲＳリソースのポート数は互いに異なる(勿論、上りリンクである場合、ＳＲＳリソースが複数設定されることができ、この場合、ＣＳＩ−ＲＳの代わりにＳＲＳを基準として本発明が適用される)。この場合、ＣＳＩ−ＲＳリソースの最大のポート数を基準として本発明が適用される。具体的には、多数のＭＩＭＯ性能のうち、最大値でＭＩＭＯ性能を仮定し、多数のＣＳＩ−ＲＳリソースのうち、最大のポート数でＣＳＩ−ＲＳポート数を仮定した後、ＭＩＭＯ性能とＣＳＩ−ＲＳポート数の最小値を求める。この値がレイヤ分岐点以上である場合は、２ＣＷに対するＤＣＩフィールドが設定され、そうではない場合には、１ＣＷに対するＤＣＩフィールドが設定される。
【００７５】
上りリンクと下りリンクの間に相互関係(ｒｅｃｉｐｒｏｃｉｔｙ)が成立するＴＤＤシステムにおいて、ＵＥはＰＭＩを報告せずＲＩとＣＱＩのみを報告する。この場合にも、独立的なＣＳＩ報告プロセスである報告設定で報告可能な最大のＲＩ値を基準として本発明を適用できる。
【００７６】
また、下りリンクＤＣＩに含まれたＭＣＳフィールド数の場合、ＵＥはＭＩＭＯ性能とＣＳＩ−ＲＳのポート数に基づいて、更なるシグナリング無しにそれを決定できる。特に、ＭＩＭＯ性能の最小値とＣＳＩ−ＲＳのポート数が５未満である場合、ＵＥは下りリンクＤＣＩに単一のＭＣＳフィールドが存在すると仮定する。次世代通信システムにおいて、ＣＳＩ−ＲＳはＣＳＩ測定以外にビーム管理などの目的にも使用できるので、上記ＣＳＩポート数はＣＳＩ測定用途のＣＳＩ−ＲＳに限定される必要がある。また、ＣＳＩ−ＲＳが複数個設定された場合には、最大のポート数を基準としてＭＣＳフィールド数が決められることが好ましい。かかる提案はＭＣＳフィールド数を決定する用途以外に１ＣＷに対するＤＣＩフィールド(即ち、ＲＶ、ＮＤＩ、ＭＣＳなど)がＤＣＩ定義されたか、２ＣＷに対するＤＣＩフィールドがＤＣＩ定義されたかをＵＥが判別する用途に使用される。さらに、ＵＥが１ＣＷに対するＣＳＩを報告するか、２ＣＷに対するＣＳＩを報告するか、(即ち、ＣＳＩペイロードサイズ)を決定する用途にも使用される。
【００７７】
下りリンクＤＣＩにおいて、１ＣＷに対するＤＣＩフィールド(ＲＶ、ＮＤＩ、ＭＣＳなど)がＤＣＩ定義されたか、２ＣＷに対するＤＣＩフィールドがＤＣＩ定義されたかを基地局がＵＥに知らせる方式の１つとして、ＣＢＳＲ(Ｃｏｄｅｂｏｏｋ ｓｕｂｓｅｔ ｒｅｓｔｒｉｃｔｉｏｎ)シグナリングを用いることができる。ここで、ＣＢＳＲは、全体ＰＭＩのうち、ＵＥが報告できるＰＭＩのランク及びインデックスをサブセットに制限することを意味する。ＮＲ(ｎｅｗ ＲＡＴ)システムにおいて、個別の報告設定ごとにＣＢＳＲが設定されることができ、その結果、ＵＥに複数のＣＢＳＲが１回に設定されることができる。例えば、ＣＢＳＲ１はランク１〜４までと制限され、ＣＢＳＲ２はランク１〜２に制限されることができる。この場合、ＵＥに設定された各ＣＢＳＲのランク値のうち、最大値を基準として１ＣＷに対するＤＣＩフィールド(ＲＶ、ＮＤＩ、ＭＣＳなど)がＤＣＩ定義されたか、２ＣＷに対するＤＣＩフィールドがＤＣＩ定義されたかを知らせることができる。上記例では、最大ランクは４であり、ランク４以下では単一のＣＷのみが支援されると仮定すると、１ＣＷに対するＤＣＩフィールド(ＲＶ、ＮＤＩ、ＭＣＳなど)がＤＣＩに定義される。報告設定は大きくビーム管理用の報告設定とＣＳＩ獲得用の報告設定が存在するので、ＣＳＩ獲得用の報告設定に設定されたＣＢＳＲのみを対象として上記提案が動作する。これはビーム管理用の報告設定はＭＣＳ設定及びランク設定とは関係ないためである。
【００７８】
またＵＥに複数の報告設定が設定された場合、ＤＣＩを受けるＮスロット前の時点(例えば、Ｎ＝１である場合、１スロット前の時点)に１回でもＣＳＩが報告された報告設定のＣＢＳＲのみを対象として提案が動作する。具体的には、報告設定１及び報告設定２が存在し、ＤＣＩを受けるＮスロット前の時点にただ報告設定１のみがＣＳＩ報告された場合は、報告設定１に該当するＣＢＳＲのみを対象として上記提案が動作する。
【００７９】
＜第３実施例＞
【００８０】
上述した第２実施例のように、ＵＥのＭＩＭＯ性能又は送受信アンテナ数によって最大レイヤ数(ｚ)が限定される。この時、ｚ値がｙ以上であるか否かによって異なるＣＷ数及び異なるＣＷとレイヤのマッピングをデザインすることができる。
【００８１】
例えば、ｚ＜ｙである場合、常に１ＣＷの送信と限定し、そうではない場合は、レイヤ分岐点ｘによって１ＣＷと２ＣＷを全て支援するデザインが可能である。これにより、最大の送受信レイヤ数が小さい低複雑度の端末／基地局である場合、１ＣＷのみを支援すればよいので、ＣＷ数の増加による追加複雑度が発生せず、単純な端末設計が可能である。またＤＣＩペイロードを減らすことにより制御チャネルのオーバーヘッドを最小化できる長所がある。
【００８２】
反面、最大の送受信レイヤ数がｙ以上である高複雑度の端末／基地局である場合は、送信レイヤとレイヤ分岐点ｘによって１ＣＷと２ＣＷを支援するデザインが可能である。その結果、ＤＣＩペイロードは増加するが、精巧なリンクアダプテーションによる追加利得を期待することができる。
【００８３】
第３実施例による具体的な具現例は以下の通りである。
【００８４】
−最大ランクが５未満である場合、１レイヤ乃至４レイヤ送信のために１ＣＷのみを支援
【００８５】
−最大ランクが５以上でありかつ分岐点ｘが３である場合、１レイヤ及び２レイヤ送信のために１ＣＷを支援し、３レイヤ乃至８レイヤ送信のために２ＣＷを支援
【００８６】
＜第４実施例＞
【００８７】
現在のＬＴＥシステムによれば、以下の表１のように、１ＣＷの送信時にＴＢ１又はＴＢ２が選択的にマッピングされて送信されることができる。
【００８８】
【表１】
0006844025.tif 000002
【００８９】
次世代通信システムであるＮＲでも、このように１ＣＷの送信時にＴＢ１又はＴＢ２が自由にマッピングされる場合、以下のような点を考える必要がある。
【００９０】
初期送信時に１ＣＷ送信が行われたが、ランクがレイヤ分岐点ｘ以上に変更されることにより２ＣＷに変更される場合は、初期送信と再送信のレイヤ差が大きく発生する。上述したように、レイヤ差は最小化することが望ましいので、２ＣＷのＴＢマッピングが様々に支援される必要がある。例えば、ランク４で行われた１ＣＷの初期送信でＴＢ１が送信され、ＮＡＣＫが発生してランク５で２ＣＷの再送信が行われる場合、ランク５のＣＷとレイヤのマッピングがＣＷ１は２レイヤ、ＣＷ２は３レイヤに固定されていると、再送信はＣＷ２によって３レイヤに送信されることが好ましい。このために、基地局は２ＣＷである時、ＴＢとＣＷマッピングがスワッピング(ｓｗａｐｐｉｎｇ)されたことを指示する必要がある。
【００９１】
反面、ＣＷ１＝ＴＢ１、ＣＷ２＝ＴＢ２と固定されていると、再送信レイヤ数が２レイヤに固定されて初期送信レイヤ数との差が大きくなる。ＴＢとＣＷマッピングがスワッピングされたことは、ＤＣＩ内に単独フィールドにより定義されるか、又は他のフィールドを介して暗黙的又は間接的に指示されることができる。
【００９２】
上記目的のために、ＴＢとＣＷの間のマッピングを導入する代わりに、単一のＣＷである場合に限って、初期送信時のＣＷ１に送信されるＴＢを固定することを提案する。
【００９３】
即ち、１)単一のＣＷのみを初期送信する場合、ＣＷ１をＴＢ２に固定して送信する。
【００９４】
反面、２)２ＣＷ送信が許容されるレイヤ分岐点ｘ以上において、ＣＷ２レイヤのマッピングを設計する時、常にＣＷ２にマッピングされるレイヤ数がＣＷ１にマッピングされるレイヤ数以上を満たすように設計し、ＴＢ１はＣＷ１に、ＴＢ２はＣＷ２に固定する。
【００９５】
この方式によれば、ランク４で１ＣＷを初期送信したが、ランク５で２ＣＷの再送信が行われる時、再送信されるデータはランク２の送信ではなく、ランク３の送信になる。
【００９６】
かかる動作は、初期送信が１ＣＷであったが、再送信が２ＣＷになる場合に有効であるので、上記動作１)の条件に、さらに単一のＣＷがｘ−１レイヤに送信される場合と限定して動作させることが好ましい。
【００９７】
＜第５実施例＞
【００９８】
一方、初期送信時に１ＣＷと２ＣＷのレイヤ分岐点(即ち、ｘレイヤ以上から２ＣＷが開始される時、ｘ値)が２ではないシステムで再送信が発生する場合、即ち、初期送信時に２ＣＷを送信し、再送信時に１ＣＷを送信する場合は、以下のような問題がある。
【００９９】
問題点１−再送信の遅延
【０１００】
基地局が初期送信時に２ＣＷを送信したが、その後、チャネルのランクが変化して、即ち、ＣＳＩフィードバックされたＲＩ値が変化して、再送信時に１ＣＷを送信する場合があり得る。この場合、２ＣＷが全て初期送信時にＮＡＣＫが発生すると、再送信の遅延が増加する問題がある。即ち、２ＣＷが全てＮＡＣＫが発生したが、１ＣＷの送信のみが可能であるので、２つのＣＷを一緒に再送信できず、１ＣＷずつ交互に送信しなければならない。これにより、再送信の遅延が増加する問題がある。
【０１０１】
かかる問題を解決するために、２ＣＷの初期送信において、２つのＣＷに全てＮＡＣＫが発生した場合に限って、レイヤ分岐点未満のレイヤでも２ＣＷの送信を許容することを提案する。例えば、レイヤ分岐点ｘ(例えば、ｘ＝５)である時、初期ｘレイヤ以上の２ＣＷ送信で[ＮＡＣＫ、ＮＡＣＫ]が発生し、ランクがｘ未満に減少した場合は、１ＣＷの再送信ではなく２ＣＷの再送信を行う。一般的にはランクが急に変化する可能性は低いので、ランクがｘ未満に減少した場合、２ＣＷの再送信を許容する代わりに、ランクがｘ−１に減少した場合に限って２ＣＷの再送信を許容することによりシステム複雑度を減らすことができる。
【０１０２】
ＵＥはレイヤ分岐点以下のランクで再送信が行われるか又は初期送信が行われるかを分からないので、各々の場合を仮定したＣＳＩをフィードバックする必要がある。ＵＥはＣＳＩと共に該当ＣＳＩが再送信を仮定しているか又は初期送信を仮定しているかに関する情報をフィードバックする必要がある。また基地局がＵＥに再送信又は初期送信を仮定し、ＣＳＩを計算することを指示することもできる。例えば、ランク４の１ＣＷに対応するＣＳＩ及びランク４の２ＣＷに対応するＣＳＩを送信することを指示することができる。特に、ランク４の２ＣＷに対応するＣＳＩは、再送信を仮定したＣＳＩであることを意味する。
【０１０３】
問題点２−再送信レイヤ数の変動による非効率性
【０１０４】
問題点２は、以下のように再送信時にレイヤ数がレイヤ分岐点ｘ未満に減少する場合と、分岐点ｘ以上に増加する場合とに分けて考える必要がある。
【０１０５】
まず再送信時にレイヤ数がレイヤ分岐点ｘ未満に減少する場合について説明する。
【０１０６】
レイヤ分岐点ｘ(例えば、ｘ＝５)である時、初期ｘレイヤ以上の２ＣＷ送信において、いずれか１つのＣＷにでもＮＡＣＫが発生し、再送信前にｘ未満のレイヤにランクが変更された場合は、ＮＡＣＫが発生したＣＷの初期送信レイヤ数とそのＣＷの再送信レイヤ数が異なることができる。例えば、初期送信時にランク５で送信された２つのＣＷが各々２レイヤ及び３レイヤに送信され、３レイヤに送信されたＣＷに対してＮＡＣＫが発生した場合を仮定する。この時、ランクが４に減少すると、３レイヤに初期送信されたデータが４レイヤに再送信されることであるので、レイヤ数が変化する。このようにレイヤ数が変化することによりチャネルコーディングの冗長性(ｒｅｄｕｎｄａｎｃｙ)情報を必要以上多く送信することになり、結果的にリソースの効率が落ちる。
【０１０７】
従って、再送信時に初期送信と同じ数のレイヤで送信できるようにＣＷとレイヤの間のマッピングを設計することが好ましい。以下の表２はかかるマッピング方式の一例を示す。
【０１０８】
【表２】
0006844025.tif 000003
【０１０９】
これを一般化すると、レイヤ分岐点ｘで各ＣＷのレイヤ数がａ、ｂ(但し、ａ＋ｂ＝ｘ)である時、ｘ−１レイヤによる再送信でも２つのＣＷのうちの一方に対してａレイヤ又はｂレイヤの送信を許容することが好ましい。例えば、ａ＝２、ａ＝３である時、２ＣＷの４レイヤ再送信を許容し、この時、各ＣＷのレイヤ数は表２のように(２,２)又は(３,１)に設定される。
【０１１０】
次に、再送信時にレイヤ数がレイヤ分岐点ｘ以上に増加する場合について説明する。具体的には、レイヤ分岐点ｘ(例えば、ｘ＝５)未満のレイヤにより１ＣＷの初期送信後にＮＡＣＫが発生し、チャネルランクが変化してｘレイヤ以上の再送信が行われる場合も発生することができる。
【０１１１】
例えば、初期送信時にランク４で１ＣＷが送信され、送信されたＣＷに対してＮＡＣＫが発生したと仮定する。この時、ランクが５に増加すると、４レイヤに初期送信されたデータが２レイヤ又は３レイヤに再送信されることであるので、レイヤ数が変化する。これを解決するために、ランク５で再送信する時に２つのＣＷが１レイヤ及び４レイヤに分けられて送信されることが好ましい。レイヤ分岐点が４である場合にも、同様にランク４で再送信する時に２つのＣＷが１レイヤ、３レイヤに分けられて送信されることが好ましい。以下の表３はかかるマッピング方式の一例を示す。
【０１１２】
【表３】
0006844025.tif 000004
【０１１３】
これを一般化すると、レイヤ分岐点ｘで各ＣＷのレイヤ数がａ、ｂ(但し、ａ＋ｂ＝ｘ)である時、ｘレイヤによる再送信時にａ＝ｘ−１、ｂ＝１である再送信を許容することが好ましい。例えば、初期送信において、ｘ＝５、ａ＝２、ａ＝３であっても、再送信時にはレイヤ数がａ＝ｘ−１、ｂ＝１である送信を許容する必要がある。特に、この提案は初期送信がｘ−１レイヤにより行われ、再送信が発生した場合に限定して適用することが好ましい。
【０１１４】
上記提案において、同じランクであっても初期送信であるか或いは再送信であるかによってＣＷ数が変わり、或いは同じランクの同じ数のＣＷであっても初期送信であるか或いは再送信であるかによってＣＷとレイヤのマッピングが変更される。従って、ＵＥはかかる様々な仮定に対して各々ＣＳＩを計算して報告することが好ましい。ＣＳＩ計算に使用される仮定はＵＥが決定してＣＳＩと共に報告されるか、又は基地局がＣＳＩごとに仮定を指示する。
【０１１５】
上述した本発明の第５実施例は、上りリンクＣＷ数及び上りリンクＣＷとレイヤのマッピング又は下りリンクＣＷ数及び上りリンクＣＷとレイヤのマッピングにも拡張適用できる。
【０１１６】
＜第６実施例＞
【０１１７】
最近ＮＲのような次世代通信システムの標準化論議によれば、基地局がＵＥにＤＣＩ内にＭＣＳ、ＲＶ、ＮＤＩフィールド数が１つであるか又は２つであるかをＲＲＣシグナリングにより予め設定することができる。また基地局がＵＥに１つのＣＳＩ報告に対してＵＥが報告するＣＱＩ最大数をＲＲＣシグナリングにより予め設定することができる。但し、ＣＱＩはＣＷごとに報告されることにより、１ＣＷである場合は、１ＣＱＩを報告し、２ＣＷである場合には、２ＣＱＩを報告する。
【０１１８】
ＤＣＩ内にＭＣＳ、ＲＶ、ＮＤＩフィールド数が各々１つに設定されたが、ＤＣＩに指示されたランクが５以上である場合は、ＵＥ動作が曖昧になることができる。これは、ランク５以上では２ＣＷであり、ランク４以下である場合は、１ＣＷに定められるためである。参考として、ランクは、下りリンクでは自分のデータが送信されるＤＭ−ＲＳポート数と指示されることができ、上りリンクでもＤＭ−ＲＳポート数により指示されるか、又はＴＲＩ或いはＳＲＩ(ＳＲＳ ｒｅｓｏｕｒｃｅ ｉｎｄｉｃａｔｏｒ)数により指示されることができる。これを解決するために、ＵＥはＭＣＳ、ＲＶ、ＮＤＩフィールド数が１つに設定された場合、ＤＭ−ＲＳポート数(上りリンクの場合は、ＴＲＩ又はＳＲＩの数で表現されたランク)が５以上であることを期待しないと定義することが好ましい。参考として、ＮＲ ＲｅＬ−１５において、上りリンク非コードブック基盤の送信(ｎｏｎ−ｃｏｄｅｂｏｏｋ ｂａｓｅｄ ｔｒａｎｓｍｉｓｓｉｏｎ)のために、基地局はＳＲＩを１つ又は複数のＵＥに指示することができ、この時、指示されたＳＲＩ数はランクを意味する。
【０１１９】
また、ＭＣＳ、ＲＶ、ＮＤＩフィールド数が１つに設定された時、ＤＭ−ＲＳポート数(上りリンクの場合、ＴＲＩ又はＳＲＩの数で表現されたランク)が５以上に設定された場合は、１つのＭＣＳ、ＲＶ、ＮＤＩフィールドに指示された値をＣＷ１とＣＷ２に共通に適用することも考えられる。もしＮＲのＤＭ−ＲＳパラメータを定義するテーブルが、既存のＬＴＥのＤＭ−ＲＳのように、単一のＣＷである場合と複数のＣＷである場合の２つに分けて定義されると、ＭＣＳ、ＲＶ、ＮＤＩフィールド数が１つに設定された場合、ＵＥは基地局が指示したＤＭ−ＲＳフィールドを単一のＣＷに対するＤＭ−ＲＳテーブルに基づいて解釈する。ＭＣＳ、ＲＶ、ＮＤＩフィールド数が２つに設定された場合は、さらに基地局が指示したＣＷ数によってＤＭ−ＲＳフィールドを解釈する。
【０１２０】
ＣＱＩ最大数が１つに設定されたが、ＣＳＲ(ｃｏｄｅｂｏｏｋ ｓｕｂｓｅｔ ｒｅｓｔｒｉｃｔｉｏｎ)によって報告可能なランクとしてランク５以上が可能であるように設定された場合は、ランク５以上では２ＣＱＩが送信されるので、ＵＥ動作が曖昧になる。従って、ＣＱＩ最大数が１に設定された場合、ＵＥはＣＳＲにより報告可能なランクとして５以上が設定されないように期待する。逆に、ＣＳＲにより報告可能なランクとして５以上が設定された場合には、ＣＱＩ最大数が１に設定されることを期待しない。又はＵＥはＣＱＩ最大数に対するシグナリングを無視してＣＳＲによってＣＱＩを報告するか、又はランク５以上に対するＣＳＲは無視して(但し、ランク４以下に対するＣＳＲは有効である)ＣＱＩ最大数によってＣＱＩを報告する。
【０１２１】
ＤＣＩ内にＭＣＳ、ＲＶ、ＮＤＩフィールドの数が１つと設定されたが、ＣＱＩ最大数が２と設定される場合、ＵＥ動作が曖昧になることができる。従って、ＵＥはＭＣＳ、ＲＶ、ＮＤＩフィールド数が１つである場合、ＣＱＩ最大数を２に設定することを期待しない。またＵＥはＭＣＳ、ＲＶ、ＮＤＩフィールド数が２つである場合、ＣＱＩ最大数を１に設定することを期待しない。
【０１２２】
図９は本発明の実施例によって少なくとも１つのコードワードを含む下りリンク信号を受信する方法を例示するフローチャートである。
【０１２３】
図９を参照すると、段階９０１で端末は新規送信としてＣＷ１及びＣＷ２を受信する。特に、多重コードワード送信のための最小ランク値に対応する数のレイヤによりＣＷ１及びＣＷ２を受信する。より具体的には、ＣＷ１がａレイヤにより受信され、ＣＷ２がｂレイヤにより受信され、(ａ＋ｂ)は多重コードワード送信のための最小ランク値である。即ち、上述したレイヤ分岐値を称する。
【０１２４】
次に、段階９０３で端末は基地局に第１コードワード及び第２コードワードのうちの１つに対する否定応答を送信する。好ましくは、本発明では段階９０１の後、ランクが減少した場合を仮定する。
【０１２５】
かかる場合、端末は段階９０５のように減少したランクをフィードバックすることが好ましい。その後、端末は段階９０７で否定応答に対応して再送信されたコードワード及び新規送信された第３コードワードを受信する。特に、本発明によれば、再送信されたコードワード及び新規送信された第３コードワードは多重コードワード送信のための最小ランク値より小さい特定数、即ち、(ａ＋ｂ−１)のレイヤにより受信され、再送信されたコードワードが受信されるレイヤ数は新規送信時と同一であることを特徴とする。
【０１２６】
より好ましいは、多重コードワード送信のための最小ランク値は５であり、特定数は４である。具体的には、第１個数は２であり、第２個数は３である。この場合、再送信されたコードワードが第１コードワードであると、第３コードワードは２つのレイヤにより受信され、再送信されたコードワードが第２コードワードであると、第３コードワードは１つのレイヤにより受信されることを特徴とする。
【０１２７】
一方、基地局にフィードバックされるランク情報は、単一のコードワード送信を仮定したチャネル状態情報及び多重コードワード送信を仮定したチャネル状態情報を含むことを特徴とする。
【０１２８】
図１０は、本発明の一実施例による通信装置のブロック構成図を例示する。
【０１２９】
図１０を参照すると、通信装置１０００は、プロセッサ１０１０、メモリ１０２０、ＲＦモジュール１０３０、ディスプレイモジュール１０４０、及びユーザインターフェースモジュール１０５０を含む。
【０１３０】
通信装置１０００は説明の便宜のためのものであり、一部のモジュールは省略されてもよい。また通信装置１０００は必要なモジュールをさらに備えてもよい。通信装置１０００において一部のモジュールはより細分化したモジュールに区分されてもよい。プロセッサ１０１０は、図面を参照して例示した本発明の実施例による動作を実行するように構成される。具体的には、プロセッサ１０１０の詳細な動作は、図１乃至図９に記載された内容を参照できる。
【０１３１】
メモリ１０２０は、プロセッサ１０１０に接続し、オペレーティングシステム、アプリケーション、プログラムコード、データなどを格納する。ＲＦモジュール１０３０は、プロセッサ１０１０に接続し、基底帯域信号を無線信号に変換したり、無線信号を基底帯域信号に変換する機能を果たす。そのために、ＲＦモジュール１０３０は、アナログ変換、増幅、フィルタリング及び周波数アップ変換又はこれらの逆過程を行う。ディスプレイモジュール１０４０は、プロセッサ１０１０に接続し、様々な情報をディスプレイする。ディスプレイモジュール１０４０は、特に制限されないが、ＬＣＤ(Ｌｉｑｕｉｄ Ｃｒｙｓｔａｌ Ｄｉｓｐｌａｙ)、ＬＥＤ(Ｌｉｇｈｔ Ｅｍｉｔｔｉｎｇ Ｄｉｏｄｅ)、ＯＬＥＤ(Ｏｒｇａｎｉｃ Ｌｉｇｈｔ Ｅｍｉｔｔｉｎｇ Ｄｉｏｄｅ)のような周知の要素を使用できる。ユーザインターフェースモジュール１０５０は、プロセッサ１０１０に接続し、キーパッド、タッチスクリーンなどのような周知のユーザインターフェースの組合せで構成可能である。
【０１３２】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０１３３】
本文書で基地局によって行われるとした特定動作は、場合によってはその上位ノード(ｕｐｐｅｒ ｏｄｅ)によって行われることもある。すなわち、基地局を含む複数のネットワークノード(ｎｅｔｗｏｒｋ ｎｏｄｅｓ)からなるネットワークにおいて端末との通信のために行われる様々な動作は、基地局又は基地局以外の他のネットワークノードによって行われ得ることは明らかである。基地局は、固定局(ｆｉｘｅｄ ｓｔａｔｉｏｎ)、ＮｏｄｅＢ、ｅＮｏｄｅＢ(ｅＮＢ)、アクセスポイント(ａｃｃｅｓｓ ｐｏｉｎｔ)などの用語にしてもよい。
【０１３４】
本発明に係る実施例は、様々な手段、例えば、ハードウェア、ファームウェア(ｆｉｒｍｗａｒｅ)、ソフトウェア又はそれらの結合などによって具現できる。ハードウェアによる具現では、本発明の一実施例は、一つ又はそれ以上のＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)、プロセッサ、コントローラ、マイクロコントローラ、マイクロプロセッサなどによって具現することができる。
【０１３５】
ファームウェアやソフトウェアによる具現では、本発明の一実施例は、上述した機能又は動作を実行するモジュール、手順、関数などの形態で具現されてもよい。ソフトウェアコードは、メモリユニットに記憶され、プロセッサによって駆動可能である。メモリユニットは、プロセッサの内部又は外部に設けられ、公知の様々な手段によってプロセッサとデータを交換することができる。
【０１３６】
本発明は、本発明の特徴から逸脱しない範囲で別の特定の形態に具体化できるということが当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の等価的範囲内における変更はいずれも本発明の範囲に含まれる。
【産業上の利用可能性】
【０１３７】
以上のような次世代通信システムにおいてコードワードとレイヤをマッピングする方法及びそのための装置は、３ＧＰＰ ＬＴＥシステムに適用される例を中心として説明したが、３ＧＰＰ ＬＴＥシステム以外にも様々な無線通信システムに適用することができる。
【図１】
0006844025.tif 000005
【図２】
0006844025.tif 000006
【図３】
0006844025.tif 000007
【図４】
0006844025.tif 000008
【図５】
0006844025.tif 000009
【図６】
0006844025.tif 000010
【図７（Ａ）】
0006844025.tif 000011
【図７（Ｂ）】
0006844025.tif 000012
【図８】
0006844025.tif 000013
【図９】
0006844025.tif 000014
【図１０】
0006844025.tif 000015